(57)【要約】【課題】２台の端末が装着されている状態において、一方の端末において通常行われるユーザ通知のための発光動作が、他方の端末への情報通信を兼ねることによって、ユーザが意識することなく端末間で情報通信を行うことのできる電子機器を提供すること。【解決手段】端末１と端末２とが着脱自在に構成された電子機器であって、端末１に設けられ、端末１の動作内容を示す光を発するＬＥＤ１０１と、端末２のうち、端末１が装着されているときにＬＥＤ１０１と対向する位置に配置され、ＬＥＤ１０１が発する光を受光する受光部２０１と、端末２に設けられ、受光部２０１で受光した光に応じて、端末１の動作内容を認識する受光信号解析部２０２と、端末２に設けられ、受光信号解析部２０２で認識された端末１の動作内容を示す情報を表示する表示部２０４とを備える。【選択図】図６
2011123523.tif 000002
【特許請求の範囲】
【請求項１】
第１筐体と第２筐体とが着脱自在に構成された電子機器であって、
前記第１筐体に設けられ、前記第１筐体の動作内容を示す光を発する発光部と、
前記第２筐体のうち、第１筐体が装着されているときに前記発光部と対向する位置に配置され、前記発光部が発する光を受光する受光部と、
前記第２筐体に設けられ、前記受光部で受光した光に応じて、前記第１筐体の動作内容を認識する受光信号解析部と、
前記第２筐体に設けられ、前記受光信号解析部で認識された前記第１筐体の動作内容を示す情報を出力する出力部と、
を有する電子機器。
【請求項２】
前記受光信号解析部は、前記発光部の発する光の点滅を認識することを特徴とする請求項１記載の電子機器。
【請求項３】
前記受光信号解析部は、前記第１筐体に設けられた通信部が着信した状態であることを示す前記発光部の点滅を認識し、
前記出力部は、前記第１筐体の通信部に着信があったことを示す情報を出力することを特徴とする請求項２記載の電子機器。
【請求項４】
前記受光信号解析部は、前記発光部の発する光の色を認識することを特徴とする請求項１記載の電子機器。
【請求項５】
前記第１筐体に設けられ、前記第１筐体の動作内容を可視光通信データに変調する変調制御部と、
前記第２筐体に設けられ、前記受光部で受光した光から可視光通信データに復調する復調制御部と、をさらに備え、
前記受光信号解析部は、前記可視光データから前記第１筐体の動作内容を認識し、
前記出力部は、前記受光信号解析部で認識された前記第１筐体の動作内容を示す情報を出力することを特徴とする請求項１記載の電子機器。
【発明の詳細な説明】
【技術分野】
【０００１】
本発明は、それぞれが独立したシステムを有する２台の情報端末が着脱自在に構成された電子機器に関するものである。
【背景技術】
【０００２】
従来、携帯電話やパーソナルコンピュータ等の２台の情報端末が接続および分離が可能な電子機器は、各種の工夫が提案されている。
【０００３】
例えば、特許文献１および特許文献２には、携帯型コンピュータに、携帯型コンピュータより小さな携帯電話が接続および分離可能となる電子機器が記載されている。
【０００４】
また、特許文献３には、携帯電話端末に可視光発光部と可視光受光部を搭載し、複数の携帯電話端末間を可視光によって通信する技術が知られている。
【先行技術文献】
【特許文献】
【０００５】
【特許文献１】米国特許出願公開第２００１／００３９１９５号明細書
【特許文献２】米国特許出願公開第２００４／０２０３５０４号明細書
【特許文献３】特開２００５−２６０３８０公報
【発明の概要】
【発明が解決しようとする課題】
【０００６】
しかしながら、前述の特許文献１では、複数の端末を着脱することはできるが、端末間では電源しか共有することができず、データ通信を行うことができない。
【０００７】
また、特許文献２では、複数の端末間でデータ通信を行うことはできるが、端末間に専用インターフェースを設け、有線（コネクタ）接続しているため、端末の着脱構造に制約が発生し、端末サイズが大きくなってしまう可能性がある。
【０００８】
また、特許文献３の場合では、複数の端末間を無線接続し、データ通信を行うことができるが、複数の端末を着脱することができないため、ユーザは意図して端末を所定の位置に配置しなければならない。
本発明はこのような考察に基づいてなされたものであり、２台の端末が装着されている状態において、一方の端末において通常行われるユーザ通知のための発光動作が、他方の端末への情報通信を兼ねることによって、ユーザが意識することなく端末間で情報通信を行うことのできる電子機器を提供することを目的とする。
【課題を解決するための手段】
【０００９】
本発明の電子機器は、第１筐体と第２筐体とが着脱自在に構成された電子機器であって、前記第１筐体に設けられ、前記第１筐体の動作内容を示す光を発する発光部と、前記第２筐体のうち、第１筐体が装着されているときに前記発光部と対向する位置に配置され、前記発光部が発する光を受光する受光部と、前記第２筐体に設けられ、前記受光部で受光した光に応じて、前記第１筐体の動作内容を認識する受光信号解析部と、前記第２筐体に設けられ、前記受光信号解析部で認識された前記第１筐体の動作内容を示す情報を出力する出力部と、を備えた構成を有する。
【００１０】
この構成により、第１筐体におけるユーザ通知のための発光動作が、第２筐体への情報通信を兼ねることによって、ユーザが意識することなく端末間で情報通信を行うことができる。
【００１１】
また、本発明の電子機器は、前記受光信号解析部が、前記発光部の発する光の点滅を認識する構成を有する。
【００１２】
この構成により、第１筐体におけるユーザ通知のための点滅動作が、第２筐体への情報通信を兼ねることによって、ユーザが意識することなく端末間で情報通信を行うことができる。
【００１３】
また、本発明の電子機器は、前記受光信号解析部が、前記第１筐体に設けられた通信部が着信した状態であることを示す前記発光部の点滅を認識し、前記出力部は、前記第１筐体の通信部に着信があったことを示す情報を出力する構成を有する。
【００１４】
この構成により、第１の筐体において着信があったことを示す点滅動作が、第２筐体への情報通信を兼ねることによって、ユーザが意識することなく端末間で情報通信を行うことができ、第２筐体にて着信があったことをユーザへ報知する事ができる。
【００１５】
また、本発明の電子機器は、前記受光信号解析部が、前記発光部の発する光の色を認識する構成を有する。
【００１６】
この構成により、第１筐体においてユーザ通知のための発光部が発する光の色が、第２筐体への情報通信を兼ねることによって、ユーザが意識することなく端末間で情報通信を行うことができる。
【００１７】
また、本発明の電子機器は、前記第１筐体に設けられ、前記第１筐体の動作内容を可視光通信データに変調する変調制御部と、前記第２筐体に設けられ、前記受光部で受光した光から可視光通信データに復調する復調制御部と、をさらに備え、前記受光信号解析部が、前記可視光データから前記第１筐体の動作内容を認識し、前記出力部が、前記受光信号解析部で認識された前記第１筐体の動作内容を示す情報を出力する構成を有する。
【００１８】
この構成により、第２筐体は、第１筐体が装着されているときにおいて、第１筐体の動作内容を示す可視光通信データを認識し、その情報を出力部に表示することができる。
【発明の効果】
【００１９】
本発明によれば、２台の端末が装着されている状態において、一方の端末において通常行われるユーザ通知のための発光動作が、他方の端末への情報通信兼ねることによって、ユーザが意識することなく端末間で情報通信を行うことができる。
【図面の簡単な説明】
【００２０】
【図１】本発明の実施の形態１〜４における端末１の外観を示す斜視図
【図２】本発明の実施の形態１〜４における端末２の外観を示す斜視図
【図３】本発明の実施の形態１〜４における端末１および端末２が合体したときの外観を示す斜視図
【図４】本発明の実施の形態１〜３における端末１の構成を示すブロック図
【図５】本発明の実施の形態１〜３における端末２の構成を示すブロック図
【図６】本発明の実施の形態１における端末１および端末２の動作手順を示すフローチャート
【図７】本発明の実施の形態１における充電中の表示部２０４の一例を示す図
【図８】本発明の実施の形態１における充電完了時の表示部２０４の一例を示す図
【図９】本発明の実施の形態２における端末１および端末２の動作手順を示すフローチャート
【図１０】本発明の実施の形態３における端末１および端末２の動作手順を示すフローチャート
【図１１】本発明の実施の形態４における端末１の構成を示すブロック図
【図１２】本発明の実施の形態４における端末２の構成を示すブロック図
【図１３】本発明の実施の形態４における端末１および端末２の動作手順を示すフローチャート
【発明を実施するための形態】
【００２１】
以下に、本発明の実施の形態について、図面を参照しながら説明する。
【００２２】
（実施の形態１）
図１は、本発明の実施の形態１における端末１の外観を示す斜視図である。
【００２３】
端末１（第１筐体）は、例えば、携帯電話等の電子機器であり、充電状態や着信状態等、端末１の動作内容を示す光を発するＬＥＤ１０１が設けられている。
【００２４】
図２は、本発明の実施の形態１における端末２の外観を示す斜視図である。
【００２５】
端末２（第２筐体）は、例えば、折り畳み型のノートパソコン等の電子機器であり、端末２を閉じた状態のとき、外部に露出する面に凹部を備えている。また、端末２の凹部には、ＬＥＤの光を受光可能な受光部２０１が配置されている。
【００２６】
図３は、本発明の実施の形態１における端末１と端末２の合体時の外観を示す斜視図である。
【００２７】
端末１と端末２の合体時においては、ＬＥＤ１０１を受光できるよう、対向した位置に受光部２０１を配置し、かつＬＥＤ１０１は外部から認識可能な位置に配置する。なお、端末１のＬＥＤ１０１は、従来の携帯電話のように電池が充電中は点灯、非充電時は消灯する。なお、また、端末１のＬＥＤ１０１は、従来の携帯電話のように端末１が着信した場合、所定間隔で点滅する。
【００２８】
図４は、本発明の実施の形態１における端末１の構成を示すブロック図である。
【００２９】
端末１は、ＬＥＤ１０１、充電制御部１０２、電池部１０３、通信制御部１０４、アンテナ部１０５、および状態制御部１０６とから構成されている。
【００３０】
ＬＥＤ１０１は、充電状態や着信状態等、端末１の動作内容を示す光を発する。
【００３１】
充電制御部１０２は、電池部１０３を充電する機能を有し、充電状態に応じて、ＬＥＤ１０１の点灯を制御する。
【００３２】
電池部１０３は、端末１全体を駆動させる電力を供給する電源である。
【００３３】
通信制御部１０４は、電波を音声データに変換する機能等を有し、着信状態に応じてＬＥＤ１０１の点滅を制御する。
【００３４】
アンテナ部１０５は、電波を送受信する機能を有し、着信を通信制御部１０４に通知する。
【００３５】
状態制御部１０６は、端末１の各々の動作状態に対応した色のパラメータを持ち、ＬＥＤ１０１の発光する色を制御する。
【００３６】
図５は、本発明の実施の形態１における端末２の構成を示すブロック図である。
【００３７】
端末２は、受光部２０１、受光信号解析部２０２、端末制御部２０３、および表示部２０４とから構成されている。
【００３８】
受光部２０１は、ＬＥＤ１０１からの光を受け取る。
【００３９】
受光信号解析部２０２は、受光部１０１で受けた光を解析する。
【００４０】
端末制御部２０３は、受光信号解析部２０１での解析結果を受けて、表示部２０４での表示内容を制御する。
【００４１】
表示部２０４は、端末１、および端末２の状態等を表示する。
【００４２】
図６は、本発明の実施の形態１における端末１と端末２とが合体されているときに端末１が充電開始したときの動作手順を示すフローチャートである。
【００４３】
まず、端末１は、充電制御部１０２が電池部１０３に対して充電中である場合（ステップＳ１０１）、充電制御部１０２は、ＬＥＤ１０１を点灯する（ステップＳ１０２）。
【００４４】
次に、端末２は、受光部２０１でＬＥＤ１０１が発する光を受け、受光信号解析部２０２は、例えば、受光していない状態から所定時間（例えば、１０ｓｅｃ）以上、受光が継続しているか否かを判定する（ステップＳ１０３）。
【００４５】
ここで、受光信号解析部２０２が所定時間以上、受光が継続していると判定した場合（ステップＳ１０３、Ｙｅｓ）、受光信号解析部２０２は受光が継続しているのは端末１が充電中であることを示していると判断し、端末制御部２０３に通知する（ステップＳ１０４）ことで、端末２は端末１が充電中であることを認識（ステップＳ１０４）する。さらに、図７で示すように、表示部２０４は端末制御部２０３からの通知を受け、端末１が充電中であることを例えば、文字であったり、電池アイコンの点滅等により表示する（ステップＳ１０５）。
【００４６】
一方、受光部２０１が所定時間以上、受光が継続していないと判定した場合（ステップＳ１０３、Ｎｏ）、再度、ＬＥＤ１０１が光を発しているか否か判定を繰り返す。
【００４７】
次に、端末１は、充電制御部１０２が電池部に対して充電完了した場合（ステップＳ１０６）、充電制御部１０２は、ＬＥＤ１０１を消灯させる（ステップＳ１０７）。
【００４８】
次に、端末２は、受光部２０１でＬＥＤ１０１が発する光を受光できなくなるため、受光信号解析部２０２は、例えば、受光している状態から所定時間（例えば、１０ｓｅｃ）以上、受光が継続していないか否かを判定する（ステップＳ１０８）。
【００４９】
ここで、受光部２０１が所定時間以上、受光が継続していないと判定した場合（ステップＳ１０８、Ｙｅｓ）、受光が継続できなくなったのは端末１が充電完了したことを示していると判断し、端末制御部２０３に通知する（ステップＳ１０９）ことで、端末２は端末１が充電完了したことを認識（ステップＳ１０９）する（ステップＳ１０９）。さらに、図８で示すように、表示部２０４は端末制御部２０３からの通知を受け、端末１が充電完了したことを例えば、電池アイコンの点滅停止等により表示する（ステップＳ１１０）。
【００５０】
一方、受光部２０１が所定時間以上、受光が継続していると判定した場合（ステップＳ１０８、Ｎｏ）、再度、ＬＥＤ１０１が光を発しているか否か判定を繰り返す。
【００５１】
この構成により、端末１におけるユーザ通知のための発光動作が、端末２への情報通信を兼ねることによって、ユーザが意識することなく端末間で情報通信を行うことができる。
（実施の形態２）
本発明の実施の形態２における端末１および端末２の構成は、図４および図５と同じ構成であるため、説明を省略する。また、本実施の形態２では、ＬＥＤ１０１の発する光が点滅する点が実施の形態１とは異なる。
【００５２】
図９は、本発明の実施の形態２における端末１と端末２とが合体されているときに端末１が着信したときの動作手順を示すフローチャートである。
【００５３】
まず、端末１は、通信制御部１０４がアンテナ部１０５からの着信通知がある場合（ステップＳ２０１）、通信制御部１０４は、ＬＥＤ１０１を点滅する（ステップＳ２０２）。
【００５４】
次に、端末２は、受光部２０１でＬＥＤ１０１が発する光を受け、受光信号解析部２０２は、例えば、所定間隔（例えば、２Ｈｚ）の点滅で受光が継続しているか否かを判定する（ステップＳ２０３）。
【００５５】
ここで、受光信号解析部２０２が所定間隔での点滅の受光が継続していると判定した場合（ステップＳ２０３、Ｙｅｓ）、受光信号解析部２０２は、点滅の受光が継続しているのは端末１が着信中であることを示していると判断し、端末制御部２０３に通知する（ステップＳ２０４）ことで、端末２は端末１が着信中であることを認識（ステップＳ２０４）する。さらに、表示部２０４は端末制御部２０３からの通知を受け、端末１が着信中であることを例えば、文字等により表示する（ステップＳ２０５）。
【００５６】
一方、受光部２０１が所定間隔での点滅の受光が継続していないと判定した場合（ステップＳ２０３、Ｎｏ）、再度、ＬＥＤ１０１が光を発しているか否か判定を繰り返す。
【００５７】
この構成により、端末１におけるユーザ通知のための点滅動作が、端末２への情報通信を兼ねることによって、ユーザが意識することなく端末間で情報通信を行うことができる。
【００５８】
（実施の形態３）
本発明の実施の形態３における端末１および端末２の構成は、図４および図５と同じ構成であるため、説明を省略する。また、本実施の形態３では、ＬＥＤ１０１の発する光の色で判定する点が実施の形態１および実施の形態２とは異なる。
【００５９】
図１０は、本発明の実施の形態３における端末１と端末２とが合体されているときに端末１が状態遷移したときの動作手順を示すフローチャートである。
【００６０】
まず、端末１は、状態制御部１０６によってある状態への遷移が行われた場合（ステップＳ３０１）、状態制御部１０６は、ＬＥＤ１０１を点灯、または点滅する（ステップＳ３０２）。
【００６１】
次に、端末２は、受光部２０１でＬＥＤ１０１が発する光を受け、受光信号解析部２０２は、例えば、所定の色（例えば、赤色なら波長は７００ｎｍ）の点灯、または点滅で受光が継続しているか否かを判定する（ステップＳ３０３）。
【００６２】
ここで、受光信号解析部２０２が所定の色の点灯、または点滅の受光が継続していると判定した場合（ステップＳ３０３、Ｙｅｓ）、受光信号解析部２０２は、点灯、または点滅の受光が継続しているのは端末１が状態遷移したことを示していると判断し、端末制御部２０３に通知する（ステップＳ３０４）ことで、端末２は端末１が状態遷移したことを認識（ステップＳ３０４）する。さらに、表示部２０４は端末制御部２０３からの通知を受け、端末１が状態遷移したことを例えば、文字等により表示する（ステップＳ３０５）。
【００６３】
一方、受光部２０１が所定の色の点灯、または点滅の受光が継続していないと判定した場合（ステップＳ３０３、Ｎｏ）、再度、ＬＥＤ１０１が光を発しているか否か判定を繰り返す。
【００６４】
この構成により、端末１においてユーザ通知のための発光部が発する光の色が、端末２への情報通信を兼ねることによって、ユーザが意識することなく端末間で情報通信を行うことができる。
【００６５】
（実施の形態４）
図１１は、本発明の実施の形態４における端末１の構成を示すブロック図である。
【００６６】
端末１は、図４の構成に変調制御部１０７を追加した構成からなる。
【００６７】
変調制御部１０７は、例えば、特許文献３にあるような可視光通信データに変調する機能を有する。
【００６８】
図１２は、本発明の実施の形態４における端末２の構成を示すブロック図である。
【００６９】
端末２は、図５の構成に復調制御部２０５を追加した構成からなる。
【００７０】
復調制御部２０５は、例えば、特許文献３にあるような可視光通信データを復調する機能を有する。
【００７１】
図１３は、本発明の実施の形態４における端末１と端末２とが合体されているときに端末１がデータ通信を開始したときからの動作手順を示すフローチャートである。
【００７２】
まず、端末１は、データ通信を開始するにあたり、変調制御部１０７で可視光通信データに変調し（ステップＳ４０１）、変調制御部１０７は、ＬＥＤ１０１を点灯、または点滅する（ステップＳ４０２）。
【００７３】
次に、端末２は、受光部２０１でＬＥＤ１０１が発する光を受け、受光信号解析部２０２は、可視光通信データによる点灯、または点滅で受光が継続しているか否かを判定する（ステップＳ４０３）。
【００７４】
ここで、受光信号解析部２０２が可視光通信データによる点灯、または点滅の受光である判定した場合（ステップＳ４０３、Ｙｅｓ）、受光信号解析部２０２は、点灯、または点滅の受光が継続しているのは端末１が可視光通信していることを示していると判断し、端末制御部２０３に通知する（ステップＳ４０４）ことで、端末２は端末１が可視光通信をしたことを認識（ステップＳ４０４）する。さらに、復調制御部２０５で可視光通信データを復調し（ステップＳ４０５）、表示部２０４は端末制御部２０３からの通知を受け、端末１が可視光通信したことを例えば、文字等により表示する（ステップＳ４０６）。
【００７５】
一方、受光部２０１が可視光通信データによる点灯、または点滅ではないと判定した場合（ステップＳ４０３、Ｎｏ）、再度、ＬＥＤ１０１が光を発しているか否か判定を繰り返す。
【００７６】
この構成により、端末２は、端末１が装着されているときにおいて、端末１の動作内容を示す可視光通信データを認識し、その情報を出力部に表示することができる。
【００７７】
また、可視光通信ではユーザにＬＥＤが点灯点滅していることを認識することができないように変調することも可能であるため、ユーザ通知のための発光動作と
両立が可能である。
【産業上の利用可能性】
【００７８】
本発明は、互いに独立したシステムを有する２つの端末において、特に端末１においては従来のハードウェア構成と同じ回路、部品追加なしで端末間のデータ通信を可能とするため、パソコン、ＰＤＡ、携帯電話などの電子機器に有用である。
【符号の説明】
【００７９】
１０１    ＬＥＤ
１０２    充電制御部
１０３    電池部
１０４    通信制御部
１０５    アンテナ部
１０６    状態制御部
１０７    変調制御部
２０１    受光部
２０２    受光信号解析部
２０３    端末制御部
２０４    表示部
２０５    復調制御部
【図１】
2011123523.tif 000003
【図２】
2011123523.tif 000004
【図３】
2011123523.tif 000005
【図４】
2011123523.tif 000006
【図５】
2011123523.tif 000007
【図６】
2011123523.tif 000008
【図７】
2011123523.tif 000009
【図８】
2011123523.tif 000010
【図９】
2011123523.tif 000011
【図１０】
2011123523.tif 000012
【図１１】
2011123523.tif 000013
【図１２】
2011123523.tif 000014
【図１３】
2011123523.tif 000015